【手続補正書】
【提出日】平成31年3月5日(2019.3.5)
【手続補正１】
【補正対象書類名】特許請求の範囲
【補正対象項目名】全文
【補正方法】変更
【補正の内容】
【特許請求の範囲】
【請求項１】
流体を圧縮する圧縮機構部（２）と、
前記圧縮機構部を駆動させる駆動部（３）と、
前記圧縮機構部及び前記駆動部を密閉状態で収容するハウジング（５）と、
前記ハウジングに形成され、前記圧縮機構部に流体を供給する吸入口部（７）と、
前記ハウジングにおける前記吸入口部と異なる位置に形成され、前記圧縮機構部によって圧縮された流体が吐出される吐出口部（８）と、
前記ハウジングにおける複数個所に配置され、取付対象物（Ｍ）に対して前記ハウジングを支持する複数の支持部材（１０、１０ａ、１０ｂ）と、
前記複数の支持部材のうち前記吸入口部側に配置された支持部材において、前記取付対象物と前記ハウジングとの間に配置されたゴム製の第１防振部材（１３ａ）と、
前記複数の支持部材のうち前記吐出口部側に配置された支持部材において、前記取付対象物と前記ハウジングとの間に配置されたゴム製の第２防振部材（１３ｂ）と、を有し、
前記第１防振部材は、予め定められた標準温度におけるバネ定数が基準値よりも小さくなるように構成されており、
前記第２防振部材は、前記標準温度におけるバネ定数が前記基準値よりも大きくなるように構成されると共に、
作動が安定した状態において、前記第１防振部材のバネ定数と前記第２防振部材のバネ定数の差が小さくなるように定められている圧縮機。
【請求項２】
前記第１防振部材及び前記第２防振部材は、前記取付対象物と前記ハウジングの間に生じる圧力を受ける受圧部（１４ａ、１４ｂ）を、それぞれ有しており、
前記第２防振部材における前記受圧部の受圧面積は、前記第１防振部材における前記受圧部の受圧面積よりも大きい請求項１に記載の圧縮機。
【請求項３】
前記第１防振部材及び前記第２防振部材における前記取付対象物から前記ハウジングへ伸びる方向の軸長寸法（Ｌａ、Ｌｂ）に関し、
前記第２防振部材における軸長寸法は、前記第１防振部材における軸長寸法よりも短い請求項１又は２に記載の圧縮機。
【請求項４】
前記第１防振部材及び前記第２防振部材は、前記取付対象物から前記ハウジングへ伸びる中心軸の周囲に配置される側面部（１５ａ、１５ｂ）を有し、
前記第２防振部材の前記側面部には、前記中心軸に向かって窪んだ凹部（１６ｂ）が形成されており、
前記第１防振部材の前記側面部には、滑面又は前記第２防振部材の前記凹部よりも小さな凹部（１６ａ）が形成されている請求項１ないし３の何れか１つに記載の圧縮機。
【請求項５】
前記第２防振部材を構成するゴムのゴム硬度は、前記第１防振部材を構成するゴムのゴム硬度よりも大きい請求項１ないし４の何れか１つに記載の圧縮機。
【請求項６】
冷媒を圧縮して吐出する圧縮機（１）と、前記圧縮機から吐出された高圧冷媒を凝縮させる凝縮器（２２、２６）と、前記凝縮器から流出した冷媒を減圧させる減圧部（２５ａ、２５ｂ）と、前記減圧部にて減圧された冷媒を蒸発させる蒸発器（２６、２８）と、を含む冷凍サイクルと、
前記冷凍サイクルにおける構成機器の作動を制御する制御部（５０）と、を有し、
前記圧縮機は、
前記冷媒を圧縮する圧縮機構部（２）と、
前記圧縮機構部を駆動させる駆動部（３）と、
前記圧縮機構部及び前記駆動部を密閉状態で収容するハウジング（５）と、
前記ハウジングに形成され、前記圧縮機構部に前記冷媒を供給する吸入口部（７）と、
前記ハウジングにおける前記吸入口部と異なる位置に形成され、前記圧縮機構部によって圧縮された前記高圧冷媒が吐出される吐出口部（８）と、
前記ハウジングにおける複数個所に配置され、取付対象物（Ｍ）に対して前記ハウジングを支持する複数の支持部材（１０、１０ａ、１０ｂ）と、
前記複数の支持部材のうち前記吸入口部側に配置された支持部材において、前記取付対象物と前記ハウジングとの間に配置されたゴム製の第１防振部材（１３ａ）と、
前記複数の支持部材のうち前記吐出口部側に配置された支持部材において、前記取付対象物と前記ハウジングとの間に配置されたゴム製の第２防振部材（１３ｂ）と、を有し、
前記第１防振部材は、予め定められた標準温度におけるバネ定数が基準値よりも小さくなるように構成されており、
前記第２防振部材は、前記標準温度におけるバネ定数が前記基準値よりも大きくなるように構成されると共に、
作動が安定した状態において、前記第１防振部材のバネ定数と前記第２防振部材のバネ定数の差が小さくなるように定められており、
前記制御部は、
前記圧縮機周辺の外気温としての環境温度を取得する環境温度取得部（６０）と、
前記第１防振部材の温度である第１温度に相関を有する第１物理量を取得する第１物理量取得部（５８）と、
前記第２防振部材の温度である第２温度に相関を有する第２物理量を取得する第２物理量取得部（５９）と接続されており、
前記環境温度と、前記第１物理量と、前記第２物理量とを用いて定められた制限条件を満たす場合、前記圧縮機の冷媒吐出能力が予め定められた基準吐出能力以下となるように前記駆動部の作動を制御する冷凍サイクル装置。
【請求項７】
前記制限条件は、前記第１温度が前記環境温度より低く定められた第１基準温度以下であることを含む請求項６に記載の冷凍サイクル装置。
【請求項８】
前記制限条件は、前記第２温度が前記環境温度より高く定められた第２基準温度以上であることを含む請求項６又は７に記載の冷凍サイクル装置。
【請求項９】
冷媒を圧縮して吐出する圧縮機（１）と、前記圧縮機から吐出された高圧冷媒を凝縮させる凝縮器（２２、２６）と、前記凝縮器から流出した冷媒を減圧させる減圧部（２５ａ、２５ｂ）と、前記減圧部にて減圧された冷媒を蒸発させる蒸発器（２６、２８）と、を含む冷凍サイクルと、
前記冷凍サイクルにおける構成機器の作動を制御する制御部（５０）と、を有し、
前記圧縮機は、
前記冷媒を圧縮する圧縮機構部（２）と、
前記圧縮機構部を駆動させる駆動部（３）と、
前記圧縮機構部及び前記駆動部を密閉状態で収容するハウジング（５）と、
前記ハウジングに形成され、前記圧縮機構部に前記冷媒を供給する吸入口部（７）と、
前記ハウジングにおける前記吸入口部と異なる位置に形成され、前記圧縮機構部によって圧縮された前記高圧冷媒が吐出される吐出口部（８）と、
前記ハウジングにおける複数個所に配置され、取付対象物（Ｍ）に対して前記ハウジングを支持する複数の支持部材（１０、１０ａ、１０ｂ）と、
前記複数の支持部材のうち前記吸入口部側に配置された支持部材において、前記取付対象物と前記ハウジングとの間に配置されたゴム製の第１防振部材（１３ａ）と、
前記複数の支持部材のうち前記吐出口部側に配置された支持部材において、前記取付対象物と前記ハウジングとの間に配置されたゴム製の第２防振部材（１３ｂ）と、を有し、
前記第１防振部材は、予め定められた標準温度におけるバネ定数が基準値よりも小さくなるように構成されており、
前記第２防振部材は、前記標準温度におけるバネ定数が前記基準値よりも大きくなるように構成されると共に、
作動が安定した状態において、前記第１防振部材のバネ定数と前記第２防振部材のバネ定数の差が小さくなるように定められており、
前記制御部は、
前記第１防振部材の温度である第１温度に相関を有する第１物理量を取得する第１物理量取得部（５８）と、
前記第２防振部材の温度である第２温度に相関を有する第２物理量を取得する第２物理
量取得部（５９）と接続されており、
前記第１物理量と前記第２物理量の差が予め定められた基準差以下である場合、前記圧縮機の冷媒吐出能力が予め定められた基準吐出能力以下となるように前記駆動部の作動を制御する冷凍サイクル装置。
【手続補正２】
【補正対象書類名】明細書
【補正対象項目名】００１３
【補正方法】変更
【補正の内容】
【００１３】
前記目的を達成するため、請求項１に記載の圧縮機は、
流体を圧縮する圧縮機構部（２）と、
圧縮機構部を駆動させる駆動部（３）と、
圧縮機構部及び駆動部を密閉状態で収容するハウジング（５）と、
ハウジングに形成され、圧縮機構部に流体を供給する吸入口部（７）と、
ハウジングにおける吸入口部と異なる位置に形成され、圧縮機構部によって圧縮された流体が吐出される吐出口部（８）と、
ハウジングにおける複数個所に配置され、取付対象物（Ｍ）に対してハウジングを支持する複数の支持部材（１０、１０ａ、１０ｂ）と、
複数の支持部材のうち吸入口部側に配置された支持部材において、取付対象物とハウジングとの間に配置されたゴム製の第１防振部材（１３ａ）と、
複数の支持部材のうち吐出口部側に配置された支持部材において、取付対象物とハウジングとの間に配置されたゴム製の第２防振部材（１３ｂ）と、を有し、
第１防振部材は、予め定められた標準温度におけるバネ定数が基準値よりも小さくなるように構成されており、
第２防振部材は、標準温度におけるバネ定数が基準値よりも大きくなるように構成されると共に、
作動が安定した状態において、第１防振部材のバネ定数と第２防振部材のバネ定数の差が小さくなるように定められている。
【手続補正３】
【補正対象書類名】明細書
【補正対象項目名】００１８
【補正方法】変更
【補正の内容】
【００１８】
又、請求項６に記載の冷凍サイクル装置は、
冷媒を圧縮して吐出する圧縮機（１）と、圧縮機から吐出された高圧冷媒を凝縮させる凝縮器（２２、２６）と、凝縮器から流出した冷媒を減圧させる減圧部（２５ａ、２５ｂ）と、減圧部にて減圧された冷媒を蒸発させる蒸発器（２６、２８）と、を含む冷凍サイクルと、
冷凍サイクルにおける構成機器の作動を制御する制御部（５０）と、を有し、
圧縮機は、
冷媒を圧縮する圧縮機構部（２）と、
圧縮機構部を駆動させる駆動部（３）と、
圧縮機構部及び駆動部を密閉状態で収容するハウジング（５）と、
ハウジングに形成され、圧縮機構部に冷媒を供給する吸入口部（７）と、
ハウジングにおける吸入口部と異なる位置に形成され、圧縮機構部によって圧縮された高圧冷媒が吐出される吐出口部（８）と、
ハウジングにおける複数個所に配置され、取付対象物（Ｍ）に対してハウジングを支持する複数の支持部材（１０、１０ａ、１０ｂ）と、
複数の支持部材のうち吸入口部側に配置された支持部材において、取付対象物とハウジングとの間に配置されたゴム製の第１防振部材（１３ａ）と、
複数の支持部材のうち吐出口部側に配置された支持部材において、取付対象物とハウジングとの間に配置されたゴム製の第２防振部材（１３ｂ）と、を有し、
第１防振部材は、予め定められた標準温度におけるバネ定数が基準値よりも小さくなるように構成されており、
第２防振部材は、前記標準温度におけるバネ定数が前記基準値よりも大きくなるように構成されると共に、
作動が安定した状態において、第１防振部材のバネ定数と第２防振部材のバネ定数の差が小さくなるように定められており、
制御部は、
圧縮機周辺の外気温としての環境温度を取得する環境温度取得部（６０）と、
第１防振部材の温度である第１温度に相関を有する第１物理量を取得する第１物理量取得部（５８）と、
第２防振部材の温度である第２温度に相関を有する第２物理量を取得する第２物理量取得部（５９）と接続されており、
環境温度と、第１物理量と、第２物理量とを用いて定められた制限条件を満たす場合、圧縮機の冷媒吐出能力が予め定められた基準吐出能力以下となるように駆動部の作動を制御する。
【手続補正４】
【補正対象書類名】明細書
【補正対象項目名】００２３
【補正方法】変更
【補正の内容】
【００２３】
そして、請求項９に記載の冷凍サイクル装置は、
冷媒を圧縮して吐出する圧縮機（１）と、圧縮機から吐出された高圧冷媒を凝縮させる凝縮器（２２、２６）と、凝縮器から流出した冷媒を減圧させる減圧部（２５ａ、２５ｂ）と、減圧部にて減圧された冷媒を蒸発させる蒸発器（２６、２８）と、を含む冷凍サイクルと、
冷凍サイクルにおける構成機器の作動を制御する制御部（５０）と、を有し、
圧縮機は、
冷媒を圧縮する圧縮機構部（２）と、
圧縮機構部を駆動させる駆動部（３）と、
圧縮機構部及び駆動部を密閉状態で収容するハウジング（５）と、
ハウジングに形成され、圧縮機構部に冷媒を供給する吸入口部（７）と、
ハウジングにおける吸入口部と異なる位置に形成され、圧縮機構部によって圧縮された高圧冷媒が吐出される吐出口部（８）と、
ハウジングにおける複数個所に配置され、取付対象物（Ｍ）に対してハウジングを支持する複数の支持部材（１０、１０ａ、１０ｂ）と、
複数の支持部材のうち吸入口部側に配置された支持部材において、取付対象物とハウジングとの間に配置されたゴム製の第１防振部材（１３ａ）と、
複数の支持部材のうち吐出口部側に配置された支持部材において、取付対象物とハウジングとの間に配置されたゴム製の第２防振部材（１３ｂ）と、を有し、
前記第１防振部材は、予め定められた標準温度におけるバネ定数が基準値よりも小さくなるように構成されており、
前記第２防振部材は、前記標準温度におけるバネ定数が前記基準値よりも大きくなるように構成されると共に、
作動が安定した状態において、前記第１防振部材のバネ定数と前記第２防振部材のバネ定数の差が小さくなるように定められており、
制御部は、
第１防振部材の温度である第１温度に相関を有する第１物理量を取得する第１物理量取得部（５８）と、
第２防振部材の温度である第２温度に相関を有する第２物理量を取得する第２物理量取得部（５９）と接続されており、
第１物理量と第２物理量の差が予め定められた基準差以下である場合、圧縮機の冷媒吐出能力が予め定められた基準吐出能力以下となるように駆動部の作動を制御する。